(57)【特許請求の範囲】
【請求項１】
デジタルイメージ強化方法において、
画素データブロックを取り出すステップ、
該画素データブロックを以て、サーチ範囲と参考ブロックを決定するステップ、
該サーチ範囲を該参考ブロックとサイズの等しい複数の比較ブロックに分けるステップ、
これら比較ブロックを逐一該参考ブロックと比較し、比較結果によりそれぞれに対応する重み値を付与するステップ、
これら比較ブロック中の計算ブロックに、これらブロックに対応する重み値を乗じて、複数の重みブロックを得るステップであり、そのうち、上述の計算ブロックの比較ブロックにおける位置は、該画素データブロックの該参考ブロックにおける位置と同じであるものとするステップ、
これら重みブロックを累加し一つの総和画素データブロックを得るステップ、
これら重み値を累加して総和重み値を得るステップ、
該総和画素データを該総和重み値を利用して正規化し、イメージ強化後の画素データブロックを得るステップ、
を包含する、デジタルイメージ強化方法。
【請求項２】
請求項１記載のデジタルイメージ強化方法において、イメージ強化後の画素データブロックを得るステップでは、画素データブロックのサイズは参考ブロック以下であるものとすることを特徴とする、デジタルイメージ強化方法。
【請求項３】
請求項１記載のデジタルイメージ強化方法において、該画素データブロックはメモリより取り出し、且つ、該デジタルイメージ強化方法は更に、イメージ強化後の画素データブロックを該メモリに保存して該画素データブロックと置き換えるステップを包含することを特徴とする、デジタルイメージ強化方法。
【請求項４】
請求項３記載のデジタルイメージ強化方法において、該メモリは線形バッファとされることを特徴とする、デジタルイメージ強化方法。
【請求項５】
請求項３記載のデジタルイメージ強化方法において、該サーチ範囲は、画素（１，１）〜画素（Ｎ，Ｎ）を包含し、該参考ブロックはＸ個画素×Ｙ個画素を包含し、且つこのデジタルイメージ強化方法は、
該サーチ範囲をこれら比較ブロックに分けるステップにおいて、第（ｉ，ｊ）個の比較ブロックの範囲は（ｉ，ｊ）、（ｉ＋Ｘ，ｊ）、（ｉ，ｊ＋Ｙ）、（ｉ＋Ｘ，ｊ＋Ｙ）で囲まれたブロックとされ、そのうち、ｉ、ｊ、Ｘ、Ｙ、Ｎは自然数とされ、且つｉ＋Ｘ≦Ｍ、ｊ＋Ｙ≦Ｎとされることを特徴とする、デジタルイメージ強化方法。
【請求項６】
請求項５記載のデジタルイメージ強化方法において、ｉ＝ｋｒ＋ａとされ、ａ、ｋとｒは０以上の整数とされ、ａは移動定数で、ｋ≦Ｍ−Ｘであり、ｒは水平定数で、ｒ＜Ｍ−Ｘとされることを特徴とする、デジタルイメージ強化方法。
【請求項７】
請求項５記載のデジタルイメージ強化方法において、ｊ＝ｐｓ＋ｂとされ、ｂ、ｐとｓは０以上の整数とされ、ｂは移動定数で、ｐ≦Ｎ−Ｙであり、ｓは垂直定数で、ｓ＜Ｎ−Ｙとされることを特徴とする、デジタルイメージ強化方法。
【請求項８】
請求項１記載のデジタルイメージ強化方法において、これら比較ブロックを逐一該参考ブロックと比較し、比較結果によりそれぞれに対応する重み値を付与するステップは、
重み値ルックアップテーブルを提供し、
ａ．これら比較ブロック中より、特定比較ブロックを取り出すステップ、
ｂ．該特定比較ブロックを該参考ブロックと相減し絶対値を取り、比較結果ブロックを得るステップ、
ｃ．該比較結果ブロックの各画素を相加し、比較値を得るステップ、
ｄ．該比較値を利用し、該重み値ルックアップテーブルをサーチして、対応重み値を得るステップ、
ｅ．これら比較ブロック中より、該特定比較ブロックを削除し、ａのステップに戻るステップ、
以上を包含し、ａからｅのステップを全ての比較ブロックについて該対応重み値を探し出すまで行なう、デジタルイメージ強化方法。
【請求項９】
請求項１記載のデジタルイメージ強化方法において、該サーチ範囲は前ａ個のフレームに位置し、そのうちａは自然数であることを特徴とする、デジタルイメージ強化方法。
【請求項１０】
請求項１記載のデジタルイメージ強化方法において、該サーチ範囲は後ろａ個のフレームに位置し、そのうちａは自然数であることを特徴とする、デジタルイメージ強化方法。
【請求項１１】
請求項１記載のデジタルイメージ強化方法において、該総和画素データを該総和重み値を利用して正規化し、イメージ強化後の画素データブロックを得るステップで、該総和画素データを該総和重み値で除算して、イメージ強化後の画素データブロックを得ることを特徴とする、デジタルイメージ強化方法。
【請求項１２】
デジタルイメージ強化装置において、
イメージデータを保存するためのメモリと、
重み計算モジュールであって、該重み計算モジュールは該メモリに接続され、該メモリより参考ブロックを取り出し、該参考ブロックは画素データブロックを包含し、該重み計算モジュールは並びに該参考ブロックのイメージデータの所在の位置を中心とする固定範囲内より、順に該メモリより複数の比較ブロックを取りだし、並びに一つずつ該参考ブロックと比較し、並びにこれら比較ブロックにそれぞれ対応する重み値を与える、上記重み計算モジュールと、
累加モジュールであって、該累加モジュールは該重み計算モジュールに接続され、取り出された比較ブロック中の重みブロックに対応する重み値を乗じた後に累加し、総和画素データブロックを得、該重みブロックの比較ブロックにおける位置は画素データブロックの参考ブロック中における位置と同じである、上記累加モジュールと、
平均モジュールであって、該累加モジュールに接続され、上述の重み値を累加して総和重み値を得て、並びに総和画素データブロックを総和重み値を利用して正規化し、イメージ強化後の画素データブロックを得る、上記平均モジュールと、
を包含することを特徴とする、デジタルイメージ強化装置。
【請求項１３】
請求項１２記載のデジタルイメージ強化装置において、該重み計算モジュールは、
参考ブロック取り出しモジュールであって、該メモリに接続され、該参考ブロックを取り出す、上記参考ブロック取り出しモジュールと、
比較ブロック取り出しモジュールであって、該メモリに接続され、該固定範囲内にあって、順にこれら比較ブロックを取り出す、該比較ブロック取り出しモジュールと、
重み計算ユニットであって、該参考ブロック取り出しモジュールと該比較ブロック取り出しモジュールに接続され、該参考ブロックとこれら比較ブロックを比較し、これら重み値を得る、上記重み計算ユニットと、
を包含したことを特徴とする、デジタルイメージ強化装置。
【請求項１４】
請求項１２記載のデジタルイメージ強化装置において、該累加モジュールは、
ブロック分離モジュールであって、該重み計算モジュールに接続され、取り出された比較ブロック中より、これら重みブロックを分離する、上記ブロック分離モジュールと、
累加ユニットであって、該ブロック分離モジュールに接続され、これら重みブロックに対応する重み値を乗じ、並びに累加の後に該総和画素データブロックを得る、上記累加ユニットと、
を包含することを特徴とする、デジタルイメージ強化装置。
【請求項１５】
請求項１２記載のデジタルイメージ強化装置において、該平均モジュールは該メモリに接続され、得られた該イメージ強化後の画素データブロックを該メモリに保存し、並びに該画素データブロックと置き換えることを特徴とする、デジタルイメージ強化装置。
【請求項１６】
請求項１２記載のデジタルイメージ強化装置において、
入力モジュールであって、該メモリに接続され、入力されたビデオ信号より該イメージデータを取り出した後、該メモリに出力する、上記入力モジュールを更に包含したことを特徴とする、デジタルイメージ強化装置。
【請求項１７】
請求項１２記載のデジタルイメージ強化装置において、
出力モジュールであって、該メモリに接続され、該メモリ中に保存されたイメージ強化後のデータを取り出し、それを指定出力信号形式に変換する、上記出力モジュールを更に包含することを特徴とする、デジタルイメージ強化装置。
【請求項１８】
請求項１２記載のデジタルイメージ強化装置において、
主制御モジュールであって、該重み計算モジュール、該累加モジュール及び該平均モジュールの操作タイミングを制御する、上記主制御モジュールを更に包含したことを特徴とする、デジタルイメージ強化装置。
【請求項１９】
請求項１２記載のデジタルイメージ強化装置において、該メモリが線形バッファとされたことを特徴とする、デジタルイメージ強化装置。
【請求項２０】
請求項１２記載のデジタルイメージ強化装置において、該平均モジュールが、該総和画素データブロックを該総和重み値で除算して、イメージ強化後の画素データブロックを得ることを特徴とする、デジタルイメージ強化装置。
【発明の詳細な説明】
【技術分野】
【０００１】
本発明は一種のデジタルイメージに関係する技術に係り、特に、デジタルイメージ強化方法及びその装置に関する。
【背景技術】
【０００２】
近年になって、科学技術の進歩により、マルチメディアの形式はますます多様化している。デジタルイメージ、例えばデジタル写真、デジタルディスプレイ、デジタルビデオ、デジタルブロードキャスティング技術に対しては、イメージ強化はますます重視され、そのうち、雑音の除去は相当に重要である。既に、デジタルイメージ中から雑音を除去する多くの研究、例えば、ガウスフィルタリング、バイラテラルフィルタリング、更にはウエーブレット演算等がある。
【０００３】
上述の数種類の演算法のうち、あるものは効果が非常に良好であるが、ただし複雑度が高過ぎ、ハードウエアにおいて実現しにくい。これにより、上述の幾種類かの雑音除去の方法のほとんどは、ソフトウエアに高い演算能力のプロセッサを組み合わせることにより実現される。また、上述の雑音除去の方式の演算量は極めて大きく、これにより、必要に応じてリアルタイムにデジタル画像を出力する場合、例えば、デジタルテレビ或いはデジタル撮影器材に対しては、上述の実施方式を使用することはできない。例えば特許文献１はウエーブレット変換技術を使用して雑音除去することが開示されているが、ウエーブレット変換の演算は複雑すぎるため、スタティック画像例えばこの特許文献１の明細書中に提示されているように、コンピュータ断層（Ｃｏｍｐｕｔｅｄ  Ｔｏｍｏｇｒａｐｈｙ）画像に使用することしかできない。
【０００４】
また、別に特許文献２には、雑音除去の方法とデジタルカメラが開示されている。しかし、特許文献２に公開された技術は、複雑な演算法を使用するため、コンピュータの演算を使用しなければ達成できず、そうでなければ、ただデジタルカメラをこのようなスタティック画像処理の状況で使用するしかない。
【０００５】
このため、演算がスピーディーに行なえて動態画面の雑音除去に応用できる、雑音除去の方法と装置が必要とされている。
【０００６】
【特許文献１】米国特許公告第２００７００５３４７７号
【特許文献２】米国特許公告第２００７０１７７８１７号
【発明の開示】
【発明が解決しようとする課題】
【０００７】
本発明の目的は、ハードウエアにおいて容易に実施でき、並びに雑音除去効果を更に良好とできるデジタルイメージ強化方法を提供することにある。
【０００８】
本発明のもう一つの目的は、デジタルイメージ強化装置を提供し、それによりハードウエア要求を少なくし、雑音除去効果を増し、イメージのブロック効果を除去することにある。
【課題を解決するための手段】
【０００９】
本発明は一種のデジタルイメージ強化方法を提供し、この方法は以下のステップを包含する。すなわち、画素データブロックを取り出す。該画素データブロックを中心としてサーチ範囲と参考ブロックを決定する。該サーチ範囲を該参考ブロックとサイズの等しい複数の比較ブロックに分ける。これら比較ブロックを逐一該参考ブロックと比較し、比較結果により対応する重み値を付与する。これら比較ブロック中の計算ブロックに、これらブロックに対応する重み値を乗じて、複数の重みブロックを得る。これら重みブロックを累加し一つの総和画素データブロックを得る。これら重み値を累加して総和重み値を得る。該総和画素データを該総和重み値を利用して正規化し、イメージ強化後の画素データブロックを得る。
【００１０】
本発明の好ましい実施例に記載のデジタルイメージ強化方法によると、そのうち画素データブロックはメモリより取り出され、且つ上述のステップは、イメージ強化後の画素データブロックをメモリに保存してもとの画素データブロックと置き換えるステップを包含する。
【００１１】
本発明の提供するデジタルイメージ強化装置は、メモリ、重み計算モジュール、累加モジュール及び平均モジュールを包含する。メモリはイメージデータを保存するのに用いられる。重み計算モジュールはメモリより参考ブロックを取り出し、この参考ブロックは画素データブロックを包含し、該重み計算モジュールは並びに参考ブロックのイメージデータの所在の位置を中心とする固定範囲内より、順にメモリ中より比較ブロックを取りだし、並びに一つずつ参考ブロックと比較し、並びに複数の比較ブロックにそれぞれ対応する重み値を与える。累加モジュールは取り出された比較ブロック中の重みブロックに対応する重み値を乗じた後に累加し、総和画素データブロックを得る。そのうち、上述の重みブロックの比較ブロックにおける位置は画素データブロックの参考ブロック中における位置と同じである。平均モジュールは上述の重み値を累加して総和重み値を得て、並びに総和画素データブロックを総和重み値を利用して正規化し、イメージ強化後の画素データブロックを得る。
【発明の効果】
【００１２】
本発明の精神は、ブロックを単位とし、イメージ強化する演算法にある。従来の技術と比較すると、従来の技術は、画素を単位として出力する。これにより本発明は単位時間内に、データスループットの速度が従来の技術の何倍にもなる。このほか、従来の技術と比較すると、雑音抑制能力のほか、イメージのブロック効果除去を行なえる。
【発明を実施するための最良の形態】
【００１３】
図１は本発明の実施例のデジタルイメージ強化装置の電気回路ブロック図である。図１に示されるように、この装置は、メモリ１１、重み計算モジュール１２、累加モジュール１３、及び平均モジュール１４を包含する。この電気回路の接続関係は図示されるとおりである。まず、メモリ１１がイメージデータを保存する。このイメージデータは一枚の完全な図形或いは一部の図形とされ得る。図２は本発明の実施例のブロック定義表示図である。説明に便利であるように、図２のブロック定義表示図で本実施例の説明を補助する。図１及び図２を参照されたい。
【００１４】
メモリ１１が上述のイメージデータを保存したとし、並びにイメージ強化の操作を開始して画素データブロック２０１を処理するとする。重み計算モジュール１２はメモリ１１中より参考ブロック２０を取り出す。この実施例では、参考ブロック２０のサイズは５×５のブロックとされ、且つそのうちの画素データブロック２０１のサイズは３×３のブロックとされる。続いて、重み計算モジュール１２が固定範囲２２中にあって、メモリ１１中よりサイズが参考ブロック２０と同じ比較ブロックＣＢＫを取り出し、並びに一つずつ参考ブロック２０と比較し、並びに比較ブロックＣＢＫと参考ブロック２０の相似度により各比較ブロックＣＢＫに対応する重み値を与える。一般には、比較ブロックＣＢＫと参考ブロック２０が相似するほど、対応する重み値は大きくなる。
【００１５】
図３は重み値判定標準を説明する表示図である。図３を参照されたい。参考ブロックをブロックＲＥＦとする。図３に示されるように、比較ブロックＣＢＫ01とブロックＲＥＦは比較的近似であり、これにより比較ブロックＣＢＫ01の重み値は比較的大きい。比較ブロックＣＢＫ02はブロックＲＥＦとほぼ完全に異なるため、比較ブロックＣＢＫ02の重み値は比較的小さい。
【００１６】
図４から図６は固定範囲２２がどのように比較ブロックＣＢＫに分割されるかの表示図である。図４から図６を参照されたい。図４中の各画素を中心として比較ブロックＣＢＫが取り出される。図５中では縦横それぞれ一つ置きの画素が、隣り合う縦列で互い違いになり、且つ隣り合う横行で互い違いになるように選択されて、その画素を中心として比較ブロックＣＢＫが取り出される。図６では相互に離間する二つの画素を中心として比較ブロックＣＢＫが取り出される。図６では本発明に基づく実施例であり、取得する比較ブロックＣＢＫが相互に二つの画素離れている。この実施例から分かるように、比較ブロックＣＢＫは多種類の異なる分割法を有し得る。本領域の通常の知識を有する者であれば、ハードウエアの設計の違いにより、弾性的に比較ブロックＣＢＫの間の間隔或いは比較ブロックＣＢＫのキャプチャと分割方式を改変できる。
【００１７】
また、累加モジュール１３は取り出した比較ブロックＣＢＫ中の重みブロックＷＢの各画素に取り出した比較ブロックＣＢＫに対応する重み値を乗じた後に累加し、そのうち、重みブロックＷＢの比較ブロックにおける位置は画素データブロック２０１の参考ブロック２０における位置と同じである。全ての比較ブロックＣＢＫが参考ブロック２０と比較された後、総和画素データブロックが得られる。数学表示するならば、以下の方程式１のように示される。
【数１】
0004435838.tif 000002
そのうち、
【数２】
0004435838.tif 000003
は総和画素データブロックを表示し、
【数３】
0004435838.tif 000004
は第ｋ個の比較ブロックの重みブロックＷＢ内の画素を表示し、Ｗ1 〜Ｗn はそれぞれ第１個から第ｎ個の取り出された比較ブロックＣＢＫに対応する重み値を示す。このため、
【数４】
0004435838.tif 000005
である。
【００１８】
上述の動作と同時に、平均モジュール１４が上述の重み値Ｗ1 〜Ｗn を累加して総和重み値を得る。上述の重み計算モジュール１２が固定範囲２２の重み値の計算を完成し、並びに累加モジュール１３が累加を完成した後、平均モジュール１３が総和画素データブロックを該総和重み値を利用して正規化し、イメージ強化後の画素データブロックを得る。これと同時に、重み計算モジュール１２及び累加モジュール１３が次の参考ブロック２１及び次の画素データブロック２１１の処理を開始する。一般には、正規化は除法の方式を用いて実施される。
【００１９】
図７は本発明の実施例のデジタルイメージ強化装置の詳細な電気回路図である。図７に示されるように、本実施例では、重み計算モジュール１２は参考ブロック取り出しモジュール５０１、比較ブロック取り出しモジュール５０２、及び重み計算ユニット５０３を包含する。累加モジュール１３はブロック分離モジュール５０４及び累加ユニット５０５を包含する。このほか、このデジタルイメージ強化装置は更に入力モジュール５０６、出力モジュール５０７、及び主制御モジュール５０８を包含する。この電気回路の接続関係は図７に示されるようである。入力モジュール５０６はビデオ信号を入力し、イメージデータを取り出し、メモリ１２に保存するのに用いられる。一般には、この装置が動態画像を処理する時、メモリ１１は線形バッファとされ得る。仮に入力されるフレーム画像がもともとＹＣｂＣｒ−４２２であるとすると、入力モジュール５０６は例えば、各一つのフレームの画像を縮減変換してＹＣｂＣｒ−４２０形式となし、並びに線形バッファ中に保存する。
【００２０】
出力モジュール５０７はメモリ１１中に保存されたデジタルイメージ強化後のデータを取り出し、並びにＹＣｂＣｒ−４２０をＹＣｂＣｒ−４２２の信号形式に変換する。参考ブロック取り出しモジュール５０１は参考ブロックを取り出し、並びにその内部レジスタ中に保存する。比較ブロック取り出しモジュール５０２は固定範囲内にあって、順に比較ブロックＣＢＫを取り出し、並びにその内部レジスタ中に保存する。重み計算ユニット５０３は参考ブロックと比較ブロックを比較し、上述の参考ブロックと比較ブロックの近似度により重み値を得る。二つのブロックが近似であるか否かを比較するための、一般的な方法は、二つのブロック内の、対応する画素を相減し、その後、絶対値を取る。並びに相減したブロックの全ての画素の差値を相加して判定値となす。この判定値が小さいほど、二つのブロックは近似である。重み計算ユニット５０３は一つのルックアップテーブルに設計可能であり、判定値の大きさにより重み値を出力するのに用いる。
【００２１】
ブロック分離モジュール５０４は比較ブロック取り出しモジュール５０２の内部レジスタより重みブロックＷＢを取り出す。累加ユニット５０５はブロック分離モジュール５０４より重みブロックＷＢを取り出し、並びに重み計算ユニット５０３より得た重み値を、重みブロックＷＢに乗じ、並びに累加の後に、総和画素データブロックを得る。最後に、平均モジュール１４がこの総和画素データブロックを総和重み値を利用して正規化し、デジタルイメージ強化した画素データブロックを得て、その後、メモリ１１に保存し、並びにもとの画素データブロックと置き換える。
【００２２】
主制御モジュール５０８は、上述の参考ブロック取り出しモジュール５０１、比較ブロック取り出しモジュール５０２、重み計算ユニット５０３、ブロック分離モジュール５０４、累加ユニット５０５及び平均モジュール１４の操作タイミングを制御する。すなわち、主制御モジュール５０８を通し、上述の比較ブロック取り出しモジュール５０２、重み計算ユニット５０３、ブロック分離モジュール５０４、累加ユニット５０５及び平均モジュール１４をパイプライン方式で操作する。例えば、累加ユニット５０５が運転すると同時に、比較ブロック取り出しモジュール５０２が次の比較を要する比較ブロックに更新し、重み計算ユニット５０３も次の重み値の計算を開始する。
【００２３】
上述の実施例から分かるように、この実施例は、ブロック出力の方式によりデジタルイメージ強化を達成する演算法である。上述の実施例は、メモリサイズを節約するため、生成されるイメージ強化後の画素データブロックを古い画素データブロックと置き換えている。従来の方式は画素を単位として出力するため、雑音が比較的大きく、雑音除去の効果が大きく影響を受け、効果は本発明の実施例に較べて非常に劣る。
【００２４】
上述の実施例は方法フローチャートに整理可能である。図８は本発明の実施例に基づくデジタルイメージ強化方法のフローチャートである。図８を参照されたい。
ステップ７１：開始。
ステップ７２：画素データブロックを取り出す。
ステップ７３：この画素データブロックで、サーチ範囲と参考ブロックを決定する。例えば、この画素データブロックを中心としてサーチ範囲と参考ブロックを決定する。しかし本領域における通常の知識を有するものであれば、サーチ範囲及び参考ブロックが必ずしも上述の画素データブロックを中心としたものでなくてもよく、ただ、上述の画素データブロックを包含すればよいということは理解できる。ゆえにここではこれ以上の説明を行なわない。
ステップ７４：サーチ範囲を複数の大きさが参考ブロックに等しい比較ブロックに分割する。例えば図４のようである。
ステップ７５：上述の比較ブロックを逐一参考ブロックと比較し、並びに比較結果により対応する重み値を与える。
ステップ７６：上述の比較ブロック中の計算ブロックに、上述の比較ブロックに対応する重み値を乗じ、複数の重みブロックを得て、並びに、上述の重みブロックを累加して総和画素データブロックを得る。このステップは上述の方程式１及びその説明と同じであるため、ここでは詳しい説明を省略する。
ステップ７７：上述の重み値を累加して総和重み値を得る。
【００２５】
そのうち、ステップ７５〜７７は以下の幾つかのサブステップに分解され得る。図９を参照されたい。
ステップ７５１：重み値ルックアップテーブルを提供する。
ステップ７５２：上述の比較ブロック中より、特定比較ブロックを取り出す。
ステップ７５３：この特定比較ブロックを参考ブロックと相減して絶対値を取り、比較結果ブロックを得る。
ステップ７５４：この比較結果ブロックと各画素を相加し、比較値を得る。
ステップ７５５：この比較値を利用し、重み値ルックアップテーブルより対応する重み値を探し出す。
ステップ７５６：上述の特定比較ブロック内の計算ブロックを取り出し、並びに上述の対応重み値を乗じ、累加レジスタにおいて累加する。
ステップ７５７：この対応重み値を累加し並びに総和重み値レジスタに保存する。
ステップ７５８：全ての比較ブロックを取り出したかを判断し、イエスならば、ステップ７８を実行し、ノーならばステップ７５２に戻り、全ての比較ブロックに対応する重み値を探し出す。
ステップ７８：総和画素データブロックを該総和重み値を利用して正規化し、デジタルイメージ強化後の画素データブロックを得る。例えば、総和画素データを総和重み値で除算し、デジタルイメージ強化後の画素データブロックを得る。
ステップ７９：このデジタルイメージ強化後の画素データブロックをメモリに保存し、上述の画素データブロックと置換する。並びにステップ７１に戻り、イメージより雑音を消去するまで上述のステップを行なう。
【００２６】
本発明の精神は、ブロックを単位とし、イメージ強化する演算法にある。これにより本発明は少なくとも以下のような優れたところがある。
１．従来の技術と比較すると、従来の技術は、画素を単位として出力する。これにより本発明は単位時間内に、データスループットの速度が従来の技術の何倍にもなる。
２．従来の技術と比較すると、雑音抑制は、もとの画素を単位とする演算法とほぼ同じである。
【００２７】
このほか、本発明の実施例中、もとの画素データブロックをデジタルイメージ強化後の画素データブロックに置き換えているため、周知の技術に較べて以下のようなよいところがある。
１．メモリサイズとハードウエアコストを節約できる。
２．周知の画素を単位とする演算方式と比較すると、更に良好な雑音除去効果を有する。
【図面の簡単な説明】
【００２８】
【図１】本発明の実施例のデジタルイメージ強化装置の電気回路ブロック図である。
【図２】本発明の実施例のブロック定義表示図である。
【図３】本発明の重み値判定標準を説明する表示図である。
【図４】本発明中、固定範囲２２がどのように比較ブロックＣＢＫに分割されるかの表示図である。
【図５】本発明中、固定範囲２２がどのように比較ブロックＣＢＫに分割されるかの表示図である。
【図６】本発明中、固定範囲２２がどのように比較ブロックＣＢＫに分割されるかの表示図である。
【図７】本発明の実施例のデジタルイメージ強化装置の詳細な電気回路図である。
【図８】本発明の実施例に基づくデジタルイメージ強化方法のフローチャートである。
【図９】本発明の実施例のステップ７５〜７７に基づくデジタルイメージ強化方法のフローチャートである。
【符号の説明】
【００２９】
１１  メモリ
１２  重み計算モジュール
１３  累加モジュール
１４  平均モジュール
５０１  参考ブロック取り出しモジュール
５０２  比較ブロック取り出しモジュール
５０３  重み計算ユニット
５０４  ブロック分離モジュール
５０５  累加ユニット
５０６  入力モジュール
５０７  出力モジュール
５０８  主制御モジュール
【図１】
0004435838.tif 000006
【図２】
0004435838.tif 000007
【図３】
0004435838.tif 000008
【図４】
0004435838.tif 000009
【図５】
0004435838.tif 000010
【図６】
0004435838.tif 000011
【図７】
0004435838.tif 000012
【図８】
0004435838.tif 000013
【図９】
0004435838.tif 000014